(57)【特許請求の範囲】
【請求項１】
ワークピース（３６）の寸法の超音波測定に適する超音波発生装置（１０）であって、前記装置（１０）は、
波形を表す波形出力（１４）を提供するように動作可能な発生器（１２）と、
前記波形出力を受信し、前記波形出力を増幅し、超音波変換器（２０）に印加するための出力（１８）を提供するように動作可能な電力増幅器（１６）と
を備え、
前記発生器は、任意の波形発生器であり、前記波形発生器は、ソフトウェア制御の下で波形源として動作し、前記波形の表現を提供し、表される前記波形のパラメータを定義するように動作可能なユーザ入力（２６）を有するコンピュータデバイス（２２）と、前記表現の波形を有する信号（３２）として前記波形出力を提供するように動作可能なコンバータ（３０）とを備え、
ここで、前記発生器は、超音波を発生させるためのパルス、および後続の、前記超音波変換器内の共鳴を減衰させるための減衰パルスを提供し、
前記電力増幅器は、演算増幅器（３４）を備え、前記演算増幅器（３４）は、使用中、前記発生器から前記波形出力を受信し、電力および電圧において前記波形出力を増幅し、前記演算増幅器の出力は、前記変換器に印加される、装置（１０）。
【請求項２】
前記波形出力（１４）は、使用中、前記波形のサンプルとしての離散出力値（４２）の時系列である、請求項１に記載の装置（１０）。
【請求項３】
前記離散出力（４２）は、前記波形（１４）の周波数の少なくとも１０倍のサンプルレートを有する、請求項２に記載の装置（１０）。
【請求項４】
前記離散出力（４２）は、１００ＭＳ／ｓのサンプルレートを有する、請求項３に記載の装置（１０）。
【請求項５】
前記表現は、デジタル表現であり、前記コンバータ（３０）は、デジタル／アナログコンバータである、請求項１〜請求項４のいずれか一項に記載の装置（１０）。
【請求項６】
前記発生器（１２）は、搬送波周波数のパルス（４６、４８）として波形出力（１４）を提供するように動作可能である、請求項１〜請求項５のいずれか一項に記載の装置（１０）。
【請求項７】
前記発生器（１２）は、超音波を発生させるためのパルス（４６）として波形出力（１４）を提供するように動作可能であり、前記パルス（４６）の後に、超音波変換器（２０）内の共鳴を減衰させるための減衰パルス（４８）が続く、請求項１〜請求項６のいずれか一項に記載の装置（１０）。
【請求項８】
ワークピース（３６）の寸法の超音波測定のための超音波を発生させる方法であって、前記方法は、
波形を表す波形出力（１４）を発生させるステップと、
前記波形出力を増幅させ、超音波変換器（２０）に印加するための出力を提供するステップと
を含み、
前記波形は、任意の波形発生器によって発生され、前記波形発生器は、ソフトウェア制御の下で動作し、前記波形の表現を提供し、表される前記波形のパラメータを定義するように動作可能なユーザ入力（２６）を有するコンピュータデバイス（２２）によって提供された波形源と、前記表現の波形を有する信号（３２）として前記波形出力を提供するように動作可能なコンバータ（３０）とを備え、
ここで、前記波形は、パルスおよび後続の、前記超音波変換器内の共鳴を減衰させるための減衰パルスを発生させることにより発生し、
前記波形は、演算増幅器（３４）を備える電力増幅器によって増幅され、前記演算増幅器（３４）は、使用中、前記波形源から前記波形出力を受信し、電力および電圧において前記波形出力を増幅し、前記演算増幅器の出力は、前記変換器に印加される、方法。
【請求項９】
前記波形出力（１４）は、前記波形のサンプルとしての離散出力値（４２）の時系列のように発生される、請求項８に記載の方法。
【請求項１０】
前記離散出力は、前記波形の周波数の少なくとも１０倍のサンプルレートを有する、請求項９に記載の方法。
【請求項１１】
前記離散出力は、１００ＭＳ／ｓのサンプルレートを有する、請求項１０に記載の方法。
【請求項１２】
前記波形を発生させるステップは、搬送波周波数のパルス（４６、４８）として波形出力（１４）を提供することを含む、請求項８〜請求項１１のいずれか一項に記載の方法。
【請求項１３】
前記波形を発生させるステップは、超音波を発生させるためのパルス（４６）として波形出力（１４）を提供することを含み、前記パルス（４６）の後に、超音波変換器（２０）内の共鳴を減衰させるための減衰パルス（４８）が続く、請求項８〜請求項１２のいずれか一項に記載の方法。
【発明の詳細な説明】
【技術分野】
【０００１】
本発明は、超音波を発生させるための超音波発生装置および方法に関する。
【背景技術】
【０００２】
用語「超音波」は、可聴範囲を上回る、典型的には、２０ｋＨｚを上回る、周波数における音を指すために使用される。超音波は、超音波が、ワークピース中に導入され、次いで、検出され、ワークピースに関する情報を示す非破壊試験等の種々の試験技法のために使用されている。示され得る情報の性質および品質は両方とも、超音波が発生および使用される態様に依存する。
【発明の概要】
【課題を解決するための手段】
【０００３】
本発明の実施例は、超音波発生装置であって、
波形を表す波形出力を提供するために動作可能な任意の波形発生器と、
波形出力を受信し、電力および振幅において波形出力を増幅し、超音波変換器に印加するための電力出力を提供するように動作可能な電力増幅器と
を備えている、装置を提供する。
【０００４】
電力増幅器は、演算増幅器を備え得る。
【０００５】
使用において、波形出力は、波形のサンプルとしての離散出力値の時系列であり得る（または、波形あるいはその波形のサンプルを有するか、もしくは構成する）。離散出力は、１０ＭＨｚ変換器を使用する場合、１００ＭＳ／ｓ等の波形の周波数の少なくとも１０倍のサンプルレートを有し得る。発生器は、波形の表現を提供する波形源、表される波形のパラメータを定義するように動作可能なユーザ入力、および波形の表現を有する信号として、波形出力を提供するように動作可能なコンバータを備え得る。
【０００６】
表現は、デジタル表現であり得、コンバータは、デジタル／アナログコンバータであり得る。波形源は、ソフトウェア制御下で動作するコンピューティングデバイスによって提供され得る。
【０００７】
発生器は、搬送波周波数のパルスとして波形出力を提供するように動作可能であり得る。発生器は、超音波を発生させるためのパルス、および、後続の超音波変換器内の共鳴を減衰させるための減衰パルスとして、波形出力を提供するように動作可能であり得る。
【０００８】
本発明の実施例はまた、超音波を発生させる方法であって、
波形を表す波形出力を発生させるステップと、
電力および振幅において、波形出力を増幅させ、超音波変換器に印加するための電力出力を提供するステップと
を含む、方法を提供する。
【０００９】
波形出力は、演算増幅器を備えている電力増幅器によって増幅され得る。
【００１０】
波形出力は、波形のサンプルとしての離散出力値の時系列として、発生され得る。離散出力は、１０ＭＨｚ変換器を使用する場合、１００ＭＳ／ｓ等の波形の周波数の少なくとも１０倍のサンプルレートを有し得る。
【００１１】
波形を発生させるステップは、波形の表現を受信し、表される波形のパラメータを定義するためのユーザ入力を受信し、波形の表現を有する信号として、波形出力を提供するステップを含み得る。表現は、デジタル表現であり得、ソフトウェア制御下で動作するコンピューティングデバイスによって提供され得る。波形を発生させるステップは、搬送波周波数のパルスとして波形出力を提供するステップを含み得る。波形を発生させるステップは、超音波を発生させるためのパルス、および、後続の超音波変換器内の共鳴を減衰させるための減衰パルスとして、波形出力を提供するステップを含み得る。
【００１２】
本発明の実施例はまた、ワークピースの寸法の超音波測定の方法であって、
波形を表すための波形出力を形成するステップと、
形成された波形出力を超音波変換器に印加し、超音波をワークピースの中へ伝送するステップと、
超音波信号をワークピースから受信するステップであって、受信された信号は、伝送された信号の反射を含む、ステップと、
寸法に関連する情報を受信された信号から抽出するステップと
を含み、波形出力は、先行定義のいずれかに記載の装置によって、形成され、印加される、方法を提供する。
本願明細書は、例えば、以下の項目も提供する。
（項目１）
超音波発生装置であって、前記装置は、
波形を表す波形出力を提供するように動作可能な任意の波形発生器と、
前記波形出力を受信し、電力および振幅において前記波形出力を増幅し、超音波変換器に印加するための電力出力を提供するように動作可能な電力増幅器と
を備えている、装置。
（項目２）
前記電力増幅器は、演算増幅器を備えている、項目１に記載の装置。
（項目３）
使用において、前記波形出力は、前記波形のサンプルとしての離散出力値の時系列である、項目１または項目２に記載の装置。
（項目４）
前記離散出力は、１００ＭＳ／ｓ等、前記波形の周波数の少なくとも１０倍のサンプルレートを有する、項目３に記載の装置。
（項目５）
前記発生器は、前記波形の表現を提供する波形源と、表される前記波形のパラメータを定義するように動作可能なユーザ入力と、前記波形の前記表現を有する信号倍として前記波形出力を提供するように動作可能なコンバータとを備えている、項目１〜項目４のいずれか一項に記載の装置。
（項目６）
前記表現は、デジタル表現であり、前記コンバータは、デジタル／アナログコンバータである、項目５に記載の装置。
（項目７）
前記波形源は、ソフトウェア制御下で動作するコンピューティングデバイスによって提供される、項目１〜項目６のいずれか一項に記載の装置。
（項目８）
前記発生器は、搬送波周波数のパルスとして波形出力を提供するように動作可能である、項目１〜項目７のいずれか一項に記載の装置。
（項目９）
前記発生器は、超音波を発生させるためのパルス、および、後続の超音波変換器内の共鳴を減衰させるための減衰パルスとして、波形出力を提供するように動作可能である、項目１〜項目８のいずれか一項に記載の装置。
（項目１０）
実質的に、付随の図面を参照して先に述べたような超音波発生装置。
（項目１１）
超音波を発生させる方法であって、前記方法は、
波形を表す波形出力を発生させるステップと、
電力および振幅において前記波形出力を増幅させ、超音波変換器に印加するための電力出力を提供するステップと
を含む、方法。
（項目１２）
前記波形出力は、演算増幅器を備えている電力増幅器によって増幅される、項目１１に記載の方法。
（項目１３）
前記波形出力は、離散出力値の時系列および前記波形のサンプルとして発生される、項目１１または項目１２に記載の方法。
（項目１４）
前記離散出力は、１００ＭＳ／ｓ等、前記波形の周波数の少なくとも１０倍のサンプルレートを有する、項目１３に記載の方法。
（項目１５）
前記波形を発生させるステップは、前記波形の表現を提供することと、表される前記波形のパラメータを定義するためのユーザ入力を受信することと、前記波形の前記表現を有する信号倍として前記波形出力を提供することとを含む、項目１１から項目１４のいずれか一項に記載の方法。
（項目１６）
前記表現は、デジタル表現であり、ソフトウェア制御下で動作するコンピューティングデバイスによって提供される、項目１５に記載の方法。
（項目１７）
前記波形を発生させるステップは、搬送波周波数のパルスとして波形出力を提供することを含む、項目１１から項目１６のいずれか一項に記載の方法。
（項目１８）
前記波形を発生させるステップは、超音波を発生させるためのパルス、および、後続の超音波変換器内の共鳴を減衰させるための減衰パルスとして、波形出力を提供することを含む、項目１１から項目１７のいずれか一項に記載の方法。
（項目１９）
実質的に、付随の図面を参照して先に述べたような方法。
（項目２０）
ワークピースの寸法の超音波測定の方法であって、
波形を表すための波形出力を形成するステップと、
前記形成された波形出力を超音波変換器に印加し、超音波をワークピースの中へ伝送するステップと、
超音波信号を前記ワークピースから受信するステップであって、前記受信された信号は、前記伝送された信号の反射を含む、ステップと、
前記寸法に関連する情報を前記受信された信号から抽出するステップと
を含み、前記波形出力は、項目１〜項目１０のいずれか一項に記載の装置によって形成され、印加される、方法。
【図面の簡単な説明】
【００１３】
次に、本発明の実施例が、単なる一例として、付随の図面を参照して、より詳細に説明される。
【図１】図１は、説明される本発明の一実施例による、超音波発生装置の簡単な概略図である。
【図２】図２は、図１の装置をより詳細に図示する。
【図３】図３は、図１および図２の装置の種々の点における信号を図示する。
【図４】図４は、説明される装置内で使用され得るタイプの別の例示的信号を図示する。
【図５】図５は、代替超音波発生装置の簡単な概略図である。
【発明を実施するための形態】
【００１４】
図１は、概して、１０で示される超音波発生装置を図示し、超音波発生装置は、ある波形を表す波形出力を１４において提供するように動作可能な任意の波形発生器１２を備えている。電力増幅器１６は、波形出力１４を受信し、電力および振幅において、波形出力１４を増幅し、超音波変換器に印加するために、電力出力を１８において提供するように動作可能である。例示的超音波変換器は、２０で示される。
【００１５】
本明細書では、用語「任意の波形発生器」は、ユーザによって定義される非常に広範囲の波形の任意のものを表す波形出力を生成することができる配列を指すために使用される。多くの実施例は、当業者に公知であろう。これらとして、ソフトウェアパッケージが挙げられる。説明される本発明の実施例において使用され得るソフトウェアパッケージの一実施例は、Ｎａｔｉｏｎａｌ  Ｉｎｓｔｒｕｍｅｎｔｓ  Ｃｏｒｐｏｒａｔｉｏｎから市販のＬａｂＶＩＥＴＭソフトウェアである。
【００１６】
（実施例１）
図２は、装置１０をより詳細に図示する。本実施例では、任意の波形発生器１２は、コンピュータデバイス２２上で起動する、先に述べたようなソフトウェアパッケージに基づく。コンピュータデバイス２２は、処理装置２４、キーボード２６等の入力デバイス、およびディスプレイ２８等の出力デバイスを含む、従来のＰＣまたは他のコンピュータデバイスであり得る。処理装置２４内で起動するソフトウェア２９は、発生器１２が、波形の表現をディスプレイ２８上に提供することを可能にする。キーボード２６等のユーザ入力は、ユーザが、ディスプレイ２８上に表される波形のパラメータを定義することを可能にする。例えば、ユーザは、表される波形の形状および周波数、または他のパラメータを選択してもよい。したがって、ユーザは、コンピュータデバイス２２内のデジタル表現を操作する。
【００１７】
波形形状の微調整は、ソフトウェアが、離散サンプルの時系列として波形を作成する場合、改善されることが予期される。各サンプルが、個々に、操作されることができる場合、波形の形状を定義するときに、相当な制御がユーザに提供され得る。この制御の程度は、サンプルレートが増加するにつれて、向上される。我々は、少なくとも、１００ＭＳ／ｓ（１００万サンプル／秒）のサンプルレートの使用を想定する。これは、１０ＭＨｚ変換器に対して、１０ＭＨｚ波形の周波数の１０倍のサンプルを可能にする。
【００１８】
コンピュータデバイス２２は、デジタル／アナログコンバータ３０を組み込むか、またはそれに関連付けられている。ユーザによって定義される波形が、使用されるべきとき、コンピュータデバイス２２は、３２において、コンバータ３０を使用して、信号を電力増幅器１６に提供する。３２における信号は、ユーザによって定義される波形を表す。実施例は、以下に説明される。
【００１９】
本プロセスの段階では、信号は、デバイス２２等の従来のコンピュータデバイスおよびデジタル／アナログコンバータ３０等の信号プロセッサ回路内で見られる電圧および電力レベルの典型である、低電圧および低電力にあるであろう。例えば、３２における波形は、振幅１Ｖ（最大振幅２Ｖ）を有し得る。電力増幅器１６の目的は、３２において、低電圧および低電力レベルにある波形出力を受信し、電力および振幅において、波形出力３２を増幅させることである。例えば、我々は、電力増幅器１６が、波形出力３２を振幅１Ｖ（最大振幅２Ｖ）から振幅１０Ｖ（最大振幅２０Ｖ）に増幅させると想定する。
【００２０】
本実施例では、電力増幅器１６は、演算増幅器３４を基礎とし、電源（図示せず）等の適切な従来の補助回路を含む。
【００２１】
本明細書では、用語「演算増幅器」は、非常に高い利得電圧増幅を提供する、デバイスの種類の１つを指すために使用される。利得は、何千にもなり得る。デバイスは、２つの入力と、単一出力とをし、単一出力は、デバイスの利得によって乗算された入力間の電圧差異を表す。すなわち、演算増幅器は、異なる入力を有する。種々のフィードバック技法は、全体的利得が外部構成要素によって決定付けられ、動作条件から高度に独立的であることを可能にする。我々は、演算増幅器の使用によって、任意の信号発生器からの信号が、波形の形状の最小劣化を伴って、振幅および電力において増幅され得る利点を提供するであろうと想定する。説明される状況において、低レベルの信号劣化に寄与する、演算増幅器の他の特性として、高帯域幅、高線形性、低雑音、短立ち上がり時間、および高スルーレート（ｓｌｅｗ  ｒａｔｅ）が挙げられ、こららは、概して、「高速」と称され得る。適切な演算増幅器回路の一実施例は、Ｔｅｘａｓ  Ｉｓｔｒｕｍｅｎｔｓ  Ｉｎｃ．から市販のＴＨＳ３００ＴＭデバイスを使用する、非反転演算増幅器構成である。
【００２２】
演算増幅器３４の出力は、電力増幅器１６の電力出力１８を形成し、超音波変換器２０に供給される。故に、装置１０が使用される場合、コンピュータデバイス２２内のユーザ制御下で作成された任意の波形は、コンバータ３０において、アナログ形態に変換され、演算増幅器３４によって、３２における信号レベルから１８における電力レベルに増幅され、次いで、超音波変換器２０によって使用され、超音波を作成する。
【００２３】
超音波変換器の実施例は、ジルコン酸チタン酸鉛ピエゾセラミック変換器である。
【００２４】
使用において、変換器２０は、通常、変換器２０をワークピース３６に密着させて設置し、変換器２０からワークピース３６の本体中への超音波の良好な伝達を提供することによって、ワークピース３６に関連付けられるであろう。図示される実施例では、変換器２０はまた、反射された超音波（エコー）をワークピース３６から収集するために使用され、反射された超音波は、記録および分析のために、コンピュータデバイス２２によって受信されるように、適切なインターフェース回路３８およびアナログ／デジタルコンバータ４０を通される。代替例では、別個の変換器を使用して、超音波を作成し、エコーを検出してもよい。これは、伝送された超音波が、直接、エコー受信変換器に影響を及ぼさないように遮断するために有用であり得る。別個の変換器の可能性は、図２において、変換器２０を分割する破線によって示される。
【００２５】
我々は、適切なソフトウェアパッケージに基づく発生器等の任意の波形発生器１２の使用が、波形出力１４が非常に高い品質を有することを可能にするであろうと想定する。なぜなら、波形の形状を定義する場合、精密な制御がユーザに利用可能であるからである。我々は、波形出力１４が、高信号対雑音比を有するであろうと想定する。さらに、我々は、演算増幅器３４の使用が、電力および振幅が増幅される（電力出力１８を作成する）ことを可能にする一方、高信号対雑音比を維持するであろうと想定する。その結果、ワークピース３６に最終的に導入される超音波は、ワークピース３６に浸透し、反射および他の相互作用をもたらし、したがって、ワークピース３６に関する情報を示し、高品質出力（したがって、高品質情報）を提供するように行うために十分な電力を有すると予期される。これは、初期波形中の高信号対雑音比、波形が最初に成形される精度、および演算増幅器が波形の最小劣化を導入するので生じる。これらの結果は、受信エコー振幅に対する出力波形振幅の比率が従来の超音波システムにおけるもの未満である場合でも予期される。恐らく、複雑な形状における、波形の精密な成形は、従来の超音波発生技法から得ることができない情報を示すと予期される。例として、ワークピースの寸法または特徴の高精度測定が挙げられる。
【００２６】
図３は、装置内の種々の点に現れる波形を図示する。図３（ａ）は、略正弦波波形のサンプルを表す、離散出力値４２の時系列を図示する。これらのサンプルの各々の個々の操作（サンプルの高さおよび極性を含む）は、特に、少なくとも１００ＭＳ／ｓ、および波形の周波数の少なくとも１０倍等の高サンプルレートにおいて、波形形状の高レベルの制御を提供する。この段階において、波形は、発生器１２内のデジタル表現においてそのまま表され、ディスプレイ２８を通して、ユーザに利用可能となるであろう。
【００２７】
図３（ｂ）は、図３（ａ）の波形サンプルを受信後のコンバータ３０の出力を示す。図から分かるように、波形出力１４を形成するアナログ波形は、図３（ａ）のサンプルによって定義される、略正弦波形状を有し、比較的に低電力および振幅（１Ｖ；最大振幅２Ｖ）である。この波形は、次いで、電力増幅器１６に印加され、電力出力１８（切断形態において、図３（ｃ）に図示される）を提供する。図３（ｃ）の波形は、図３（ｂ）の波形と同一の形状であるが、より大きな電力および振幅（最大振幅２０Ｖ）に増幅される一方、以前の波形の高信号対雑音比を維持している。この波形の品質は、演算増幅器３４の使用によって可能となる。
【００２８】
図４は、我々が、超音波非破壊試験において有利であることを見出した、例示的波形を図示する。波形４４は、発生パルス４６および減衰パルス４８である２つのパルス４６、４８を含む。発生パルス４６は、略正弦波振幅エンベロープが与えられる高周波数搬送波のパルスである。減衰パルス４８もまた、高周波数搬送波のパルスであって、また、略正弦波振幅エンベロープ内にある。
【００２９】
発生パルス４６の目的は、変換器２０を励起し、ワークピース３６内に超音波を発生させることである。我々は、パルス４６等の正弦波パルスによって、変換器２０を刺激することが、変換器２０内に共鳴効果をもたらし、ワークピース３６内に、変換器２０に提供される信号より長い超音波振動を生じさせ得ることを見出した。一例が、４７で示される。減衰パルス４８の目的は、この問題に対処することである。減衰パルス４８のタイミングおよび位相は、減衰パルス４８に、変換器２０内のいかなる残留共鳴も減衰させるように選択されることができる。特に、反射が受信されるときに変換器２０が活動していないように、変換器２０は、反射された超音波がワークピース３６内から受信されることが予期される前に、減衰されることが望ましい。これは、ワークピース３６からより高い品質信号の回収をもたらすと予期される。
【００３０】
（実施例２）
代替超音波発生システム１００が、図５に図式的に描写される。システム１００は、装置１０と共通する多くの特徴を共有する。システム１００は、超音波送受信機１１８と、パルス発生モジュール１２４およびコントローラモジュール１２６を含む、制御システム１２０とを含む。
【００３１】
超音波変換器１１８は、使用において、糊等の固定剤を使用して、試験アイテム（図示せず）に固定される、圧電変換器を備えている。所望に応じて、超音波変換器は、アイテムの表面上の原位置で蒸着される場合がある。選択される固定剤は、主に、アイテムと、使用において被ると予期される条件とに依存するが、使用において予期される温度範囲にわたって、超音波信号の良好な伝送を可能にする必要がある。定位置に固定される場合、センサは、エポキシ樹脂裏材、例えば、鋼鉄補強エポキシ等、アイテムへの超音波信号の伝送を支援するように、裏材で被覆され得る。変換器１１８は、中心周波数約１０ＭＨｚを有するが、他の周波数も可能である。
【００３２】
パルス発生モジュール１２４は、ピーク振幅約１０Ｖを有する電圧パルスを発生させるように動作可能である。パルス発生モジュールは、パルス発生器１４０、増幅器１４２、および信号ブロッカー１４４（要求に応じて）を含む。パルス発生器は、再現可能形状を有する、実質的に１Ｖの電圧パルスを発生させるように動作可能である。本実施例では、パルスは、実質的に、１０ＭＨｚの周波数を伴う正弦波として物理的に現れる方形波を備え、パルス発生器１４０は、フィールドプログラマブルゲートアレイ（ＦＰＧＡ  １）等の第１のプログラマブル要素を備えている。伝送される初期パルスを発生させるだけではなく、ＦＰＧＡ  １は、反射された信号を受信するように動作可能である。
【００３３】
本実施例では、増幅器１４２は、周波数または形状を改変することなく、ＦＰＧＡ  １によって生成された成形された信号を約１０Ｖパルスまで増幅するように動作可能である。そのような高電圧信号が、ＦＰＧＡ  １によって受信された場合、ＦＰＧＡ  １に損傷を及ぼすであろう。したがって、増幅器が、アクティブである場合、本実施例では、電界効果トランジスタ（ＦＥＴ）である信号ブロッカー１４４が、同時にアクティブとなり、１０Ｖ信号のいずれの部分も、ＦＰＧＡ  １に向かって逆伝送され得ないことを確実にする。増幅器が、１０Ｖパルスを伝送するとすぐに、信号ブロッカー１４４は、反射された信号が、ＦＰＧＡ  １によって検出されることが可能となるように非アクティブにされる。
【００３４】
別の実施例では、図２に関連して述べたように、別個の変換器が、超音波を発生させ、エコーを感知するために使用され得る。その場合、自然な遮断が、励起エネルギーと感知変換器との間に作成され、信号ブロッカー１４４を不必要にし得る。
【００３５】
コントローラモジュール１２６はさらに、第２のフィールドプログラマブルゲートアレイ（ＦＰＧＡ  ２）等のプログラマブル要素１４６と、プロセッサ１４８と、メモリ１４９とを含む。ＦＰＧＡ  ２は、試験アイテムの温度を測定するために配列される熱電対等の温度センサ１５０から温度データを収集するように動作可能である。
【００３６】
プロセッサ１４８は、プログラマブル要素１４０および１４６の両方と信号通信し、信号データをＦＰＧＡ  １から、温度データをＦＰＧＡ  ２から受信する。プロセッサは、受信した信号データおよび温度データを使用して、寸法測定を生成する。
【００３７】
動作において、システム１００は、実質的に同時に、プロセッサの制御下、以下の２つの組の動作を行う。
【００３８】
最初に、プログラマブル要素１４０は、持続時間内に１Ｖパルス５０ｎｓを発生させる。信号ブロッカー１４４が、アクティブにされ、増幅器１４２が、１Ｖパルスを１０Ｖに増幅させる。信号ブロッカーは、次いで、非アクティブにされる。１０Ｖ信号は、ケーブルを経由して、超音波送受信機１１８に伝送される。超音波送受信機は、信号を超音波パルスに変換し、パルスを試験アイテムの中へ伝送する。反射された超音波パルスは、続いて、超音波送受信機によって受信され、電気信号に変換され、プログラマブル要素１４０によって検出される。受信した信号（特に、一緒になって、受信した信号の形状を示す離散測定の集合）を識別するデータは、分析／記憶のために、特に、飛行時間値の生成のために、プロセッサに伝送される。
【００３９】
前述の飛行時間データの集合と同時に、プロセッサは、第２のプログラマブル要素１４６に、温度データを温度センサ１５０から収集するように命令する。測定された温度値（２つの測定から成る）は、ＦＰＧＡ  １がその受信信号を収集してしまうまで、メモリ内に記憶される。これらの動作は、実質的に同期して開始および終了するように配列される。
【００４０】
信号データが収集されると、プロセッサは、温度値を使用して較正された飛行時間を決定する。温度独立寸法値が、次いで、計算される。その値は、試験アイテムの厚さ等の寸法を示す。
【００４１】
（結論）
我々は、波形の形状の微調整および操作が、従来の技法と比較して、導入される振幅の割合として表された場合、増加したエコー振幅を作成するように波形形状が選択されることを可能にすることを見出した。これは、より高い効率を表し、任意の波形を発生させ、それらを演算増幅器内で正確かつ再現可能に増幅する能力から生じる。
【００４２】
多くの変形例が、本発明の範囲から逸脱することなく、前述の装置から成され得る。例えば、他の形態の任意の波形発生器が、ソフトウェアパッケージに基づく発生器の代わりに使用され得る。他の形態の電力増幅器も使用され得、他の演算増幅器デバイスも、信号処理および回路設計における従来の考慮に従って選択され得る。
【００４３】
前述の明細書では、特に重要であると考えられる、本発明の特徴に注意を引き付けることに尽力したが、特定の強調が置かれているかどうかにかかわらず、以下に参照される、および／または図面に図示される、任意の特許性のある特徴あるいは特徴の組み合わせに関して、保護を主張することを理解されたい。
【図１】
0005993871.tif 000002
【図２】
0005993871.tif 000003
【図３（ａ）】
0005993871.tif 000004
【図３（ｂ）】
0005993871.tif 000005
【図３（ｃ）】
0005993871.tif 000006
【図４】
0005993871.tif 000007
【図５】
0005993871.tif 000008